【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
画像形成装置であって、
人感センサと、
ネットワークインターフェースと、
所定のスリープ条件を満たしたときに、前もって設定された設定値に従って、前記画像形成装置を、前記人感センサによる人の感知に基づく復帰および前記ネットワークインターフェースによる特定データの受信に基づく復帰が可能な第１スリープ状態、及び、前記ネットワークインターフェースによる特定データの受信に基づく復帰が可能だが前記人感センサによる人の感知に基づく復帰が可能でない第２スリープ状態に、移行する電力制御部と、を備えることを特徴とする画像形成装置。
【請求項２】
前記第２スリープ状態では、前記人感センサへの電力供給が停止される、ことを特徴とする請求項１に記載の画像形成装置.
【請求項３】
前記電力制御部は、前記人感センサによる人の感知、及び、前記ネットワークインターフェースによる特定データの受信、に基づいて、前記画像形成装置を前記第１スリープ状態から復帰し、前記ネットワークインターフェースによる特定データの受信に基づいて前記画像形成装置を前記第２スリープ状態から復帰する、ことを特徴とする請求項１又は２に記載の画像形成装置。
【請求項４】
印刷部と、
読取部と、
前記印刷部及び前記読取部を制御する制御部と、をさらに備え、
前記第１スリープ状態及び前記第２スリープ状態では、前記制御部への電力供給が停止される、ことを特徴とする請求項１乃至３の何れか１項に記載の画像形成装置。
【請求項５】
前記第１スリープ状態及び前記第２スリープ状態では、前記印刷部及び前記読取部へ電力供給が停止される、ことを特徴とする請求項４に記載の画像形成装置。
【請求項６】
ユーザインターフェースをさらに備え、
前記第１スリープ状態及び前記第２スリープ状態のそれぞれは、前記ユーザインターフェースのユーザ操作の受信による復帰が可能な状態である、ことを特徴とする請求項１乃至５の何れか１項に記載の画像形成装置。
【請求項７】
表示部をさらに備え、
前記表示部は、前記設定値を入力するための画面を表示することが可能である、ことを特徴とする請求項１乃至６の何れか１項に記載の画像形成装置。
【請求項８】
前記第１スリープ状態での消費電力は、前記第２スリープ状態での消費電力より大きい、ことを特徴とする請求項１乃至７の何れか１項に記載の画像形成装置。
【請求項９】
前記電力制御部は、現在時刻が所定時刻になったときに、前記設定値に従って、前記画像形成装置を前記第１スリープ状態および前記第２スリープ状態に移行する、ことを特徴とする請求項１乃至８の何れか１項に記載の画像形成装置。
【請求項１０】
前記所定時刻は、曜日ごとに設定される、ことを特徴とする請求項９に記載の画像形成装置。
【請求項１１】
前記人感センサに電力を供給する電力供給部をさらに備え、
前記電力制御部は、所定のスリープ条件を満たしたときに、前記設定値に従って、前記人感センサへの電力供給を停止する、若しくは、前記人感センサへの電力供給を継続する、ことを特徴とする請求項１乃至１０の何れか１項に記載の画像形成装置。
【請求項１２】
前記特定データは、前記画像形成装置宛てのパケットである、ことを特徴とする請求項１乃至１１の何れか１項に記載の画像形成装置。
【請求項１３】
前記人感センサは、焦電センサである、ことを特徴とする請求項１乃至１２の何れか１項に記載の画像形成装置。
【請求項１４】
前記人感センサは、赤外線を受信する赤外線センサである、ことを特徴とする請求項１乃至１３の何れか１項に記載の画像形成装置。
【請求項１５】
画像形成装置であって、
人感センサと、
ユーザインターフェースと、
所定のスリープ条件を満たしたときに、前もって設定された設定値に従って、前記画像形成装置を、前記人感センサによる人の感知に基づく復帰および前記ユーザインターフェースによるユーザ操作の受信に基づく復帰が可能な第１スリープ状態、及び、前記ユーザインターフェースによるユーザ操作の受信に基づく復帰が可能だが前記人感センサによる人の感知に基づく復帰が可能でない第２スリープ状態に、移行する電力制御部と、を備えることを特徴とする画像形成装置。
【請求項１６】
前記第２スリープ状態では、前記人感センサへの電力供給が停止される、ことを特徴とする請求項１５に記載の画像形成装置.
【請求項１７】
前記電力制御部は、前記人感センサによる人の感知、及び、前記ユーザインターフェースによるユーザ操作の受信、に基づいて、前記画像形成装置を前記第１スリープ状態から復帰し、前記ユーザインターフェースによるユーザ操作の受信に基づいて前記画像形成装置を前記第２スリープ状態から復帰する、ことを特徴とする請求項１５又は１６に記載の画像形成装置。
【請求項１８】
印刷部と、
読取部と、
前記印刷部及び前記読取部を制御する制御部と、をさらに備え、
前記第１スリープ状態及び前記第２スリープ状態では、前記制御部への電力供給が停止される、ことを特徴とする請求項１５乃至１７の何れか１項に記載の画像形成装置。
【請求項１９】
前記第１スリープ状態及び前記第２スリープ状態では、前記印刷部及び前記読取部へ電力供給が停止される、ことを特徴とする請求項１８に記載の画像形成装置。
【請求項２０】
ネットワークインターフェースをさらに備え、
前記第１スリープ状態及び前記第２スリープ状態のそれぞれは、前記ネットワークインターフェースによる特定データの受信による復帰が可能な状態である、ことを特徴とする請求項１５乃至１９の何れか１項に記載の画像形成装置。
【請求項２１】
表示部をさらに備え、
前記表示部は、前記設定値を入力するための画面を表示することが可能である、ことを特徴とする請求項１５乃至２０の何れか１項に記載の画像形成装置。
【請求項２２】
前記第１スリープ状態での消費電力は、前記第２スリープ状態での消費電力より大きい、ことを特徴とする請求項１５乃至２１の何れか１項に記載の画像形成装置。
【請求項２３】
前記電力制御部は、現在時刻が所定時刻になったときに、前記設定値に従って、前記画像形成装置を前記第１スリープ状態および前記第２スリープ状態に移行する、ことを特徴とする請求項１５乃至２２の何れか１項に記載の画像形成装置。
【請求項２４】
前記所定時刻は、曜日ごとに設定される、ことを特徴とする請求項２３に記載の画像形成装置。
【請求項２５】
前記人感センサに電力を供給する電力供給部をさらに備え、
前記電力制御部は、所定のスリープ条件を満たしたときに、前記設定値に従って、前記人感センサへの電力供給を停止する、若しくは、前記人感センサへの電力供給を継続する、ことを特徴とする請求項１５乃至２４の何れか１項に記載の画像形成装置。
【請求項２６】
前記ユーザ操作は、前記画像形成装置宛てのパケットである、ことを特徴とする請求項１５乃至２５の何れか１項に記載の画像形成装置。
【請求項２７】
前記人感センサは、焦電センサである、ことを特徴とする請求項１５乃至２６の何れか１項に記載の画像形成装置。
【請求項２８】
前記人感センサは、赤外線を受信する赤外線センサである、ことを特徴とする請求項１５乃至２７の何れか１項に記載の画像形成装置。
【手続補正２】
【補正対象書類名】明細書
【補正対象項目名】０００８
【補正方法】変更
【補正の内容】
【０００８】
上記目的を達成する本発明の画像形成装置は以下に示す構成を備える。
画像形成装置であって、人感センサと、ネットワークインターフェースと、所定のスリープ条件を満たしたときに、前もって設定された設定値に従って、前記画像形成装置を、前記人感センサによる人の感知に基づく復帰および前記ネットワークインターフェースによる特定データの受信に基づく復帰が可能な第１スリープ状態、及び、前記ネットワークインターフェースによる特定データの受信に基づく復帰が可能だが前記人感センサによる人の感知に基づく復帰が可能でない第２スリープ状態に、移行する電力制御部と、を備えることを特徴とする。
【手続補正３】
【補正対象書類名】明細書
【補正対象項目名】発明の名称
【補正方法】変更
【補正の内容】
【発明の名称】画像形成装置
【手続補正４】
【補正対象書類名】明細書
【補正対象項目名】０００１
【補正方法】変更
【補正の内容】
【０００１】
本発明は、画像形成装置に関するものである。